(57)【要約】
【課題】  確実に安定な接触探知効果を達成できてメモリカードを使用する場合の安定性が得られるメモリカードコネクタの探知装置を提供する。
【解決手段】  コネクタの中にある端子セット３、４の接続端子３１、４１の上に探知端子７を設け、その接続端子７には端子自体にスロット５が設けられ、そのスロット５の中に接続弾性プレート６を設けることでその接続端子３１、４１及び探知端子７が同期にメモリカード８に押されても接続弾性プレート６が水平形状を維持し、探知端子７を確実で緊密にその接続弾性プレート６と貼って導通することで、メモリカード８を使用する場合の安定性を得られるメモリカードコネクタの探知装置である。
【選択図】    図１
0003101218.tif 000002
【実用新案登録請求の範囲】
【請求項１】
メモリカードコネクタの探知装置であって、コネクタは絶縁ベース、アッパーカバー及び端子セットで構成され、その絶縁ベースは絶縁材で作られたベースであり、その両側にガイドアームを設けることでメモリカードの挿入をガイドし、後段の面に配列形状を呈する端子スロットが絶縁ベースの後ろの面に伸びて貫通し、そのアッパーカバーは一体で製造された金属プレートであり、それを絶縁ベースの上面に覆い、その端子セットが複数個の接続端子を使って絶縁ベースの各端子層で構成された金属質の伝送媒体にそれぞれ挿入して設けられ、それぞれの接続端子の前端に接触端を設けることでメモリカードと接続させ、その後端に溶接端を設けてあるので溶接することが可能であり、
端子セットのいずれかの接続端子のプレート形状のロッドの所にスロットが設けられ、そのスロットの中に別に接続弾性プレートが設けられ、その接続端子の上方に探知端子を設けてあり、その探知端子は金属プレートであり、その前端に接触端を設けることで、下へ押す場合、接続弾性プレートと接触させ、その後端に溶接端を設けることで溶接可能であることを特徴とするメモリカードコネクタの探知装置。
【請求項２】
絶縁ベースの二つのガイドアームの間に軸方向へ滑って移動する可動仕切り板を設けることで、メモリカードの挿入と取り出しが制御可能であることを特徴とする請求項１に記載のメモリカードコネクタの探知装置。
【請求項３】
端子セットは複数セットを設けても良いことを特徴とする請求項１に記載のメモリカードコネクタの探知装置。
【考案の詳細な説明】
【技術分野】
【０００１】
本考案は、メモリカードコネクタの探知装置に関するものである。特に単独又は多種のメモリカードの挿入に通用するコネクタの探知端子装置の設計を指す。それにより確実な接続効果が得られる。
【背景技術】
【０００２】
従来の単独又は多種のメモリカードに通用するカードリーダーは、その内部に複数インワンのメモリカードを設けた電気コネクタである。その電気コネクタは通常一つの絶縁ベース及び複数セットの端子で構成される。更に、その絶縁ベースの上に、異なるタイプのメモリカードの挿入を提供する収納スロットが設けられている。それにより、特定のメモリカードを挿入した後、特定の１セットの端子と接続することでデータのアクセスを行うことができるが、市販の多種なメモリカードの中にはデータのアクセスを行うためにメモリカードを電気コネクタに挿入する時に１個又は２個の探知端子と導通しなければならないものがある。そのため、従来の電気コネクタが効果を発揮するため、その絶縁ベースの中に別に１セットの探知端子を設けてから、特定のメモリカードと合わせなければならいのである。
【０００３】
従来の探知端子装置は、絶縁ベース１０の中での特定な端子セット２０の両側又は中間に探知端子３０を加えて設けることで(図７の通り)、メモリカード４０を挿入した後その端子セット２０と接触して導通する以外に、探知端子３０をコンタクトして下がった後端子セット２０の中の接続端子２０１と接触させることで、探知な機能を得ることができる。しかし、従来のこのような探知装置の設計はその接触端子２０１をメモリカードと接触する場合、自体が押されて下がっているので、探知端子３０を下げて接続端子２０１と接触させるのが難しくなる。特に、緊密に接続できない現象が起こりやすいので、電気コネクタが正常な機能を発揮できないことが多い。
【考案の開示】
【考案が解決しようとする課題】
【０００４】
よって本考案の目的は、確実に安定な接触探知効果を達成できてメモリカードを使用する場合の安定性が得られるメモリカードコネクタの探知装置を提供することである。
【課題を解決するための手段】
【０００５】
上記課題を解決するための本考案のメモリカードコネクタの探知装置は、コネクタの中にある端子セットの接続端子の上に探知端子を設け、その接続端子には端子自体にスロットが設けられ、そのスロットの中に接続弾性プレートを設けることでその接続端子及び探知端子が同期にメモリカードに押されても接続弾性プレートが水平形状を維持し、探知端子を確実で緊密にその接続弾性プレートと貼って導通することで、メモリカードを使用する場合の安定性を得られる。
【考案を実施するための最良の形態】
【０００６】
図１及び図２の通り、この考案の実施例はメモリカードコネクタの探知装置の設計に関するものである。そのコネクタは少なくとも絶縁ベース１、アッパーカバー２及び複数の端子セット３、４で構成された複数インワンのメモリカードコネクタである。まず、その実施構造を説明とする。
【０００７】
絶縁ベース１があり(図１の通り)、それは絶縁の材質で一体成型したＵ形状のベースであり、その両側にガイドアーム１１を設けることで、異なるタイプのメモリカードの挿入をガイドする。又はその二つのガイドアーム１１の間に軸方向へ滑って移動できる可動の仕切り板１２を設けることで、メモリカードの挿入及び取り出しを制御する。又、絶縁ベース１の後上方に、複数個の配列形状を呈する端子層１３が設けられ、その端子層１３が絶縁ベース１の後面に伸びて貫通することで、複数の端子セット３、４を貫通して固定することができる。又、上述の絶縁ベース１での二つのガイドアーム１１の外側に、需要によりインサートスロット１４を設けることができるので、そのインサートスロット１４にアースプレート１５を挿入して設けることで、コネクタにアースを持って、電磁気干渉を排除する効果を備える。
【０００８】
アッパーカバー２があり(図１の通り)、それは一体でプレスして曲がって製造された逆Ｕ形状の金属プレートであり、少なくとも二つの側壁２１に絶縁ベース１とキャッチできるキャッチホール２２を設けることで、絶縁ベース１の上面に覆うことができる。
【０００９】
端子セット３、４があり(図１の通り)、それは複数個の接続端子３１、４１を絶縁ベース１の各端子層で構成された金属質の伝送媒体にそれぞれ挿入して設けることで、それぞれ異なるタイプのメモリカードを挿入した後、それと接触することができる。又、それぞれの接続端子３１、４１の前端に、曲がりを呈する接触端３２、４２があるので、メモリカードと接続することができる。その後端に溶接端３３、４３があるので、電気回路ボードと溶接することができる。
【００１０】
上述の絶縁ベース１、アッパーカバー２及び複数個の端子セット３、４の構造特徴及びその組み立てる関係による、多種タイプのメモリカードに通用するメモリカードコネクタが構成される。
【００１１】
この実施例は、主に上述の絶縁ベース１、アッパーカバー２及び複数個の端子セット３、４で構成されたコネクタを選定して、その中での端子セット４のいずれかの接続端子４１プレート形状のロッドの所にスロット５が設けられ、そのスロット５の中に別に接続弾性プレート６(図３〜図５の通り)が設けられ、その接続端子４１の上方に探知端子７を設けてあり、その探知端子７は金属プレートであり、その前端に曲がりの接触端７１を設けることで、下へ押す場合接続弾性プレート６と接触させ、その後端に溶接端７２を設けることで電気回路ボードと溶接することができるので、メモリカードコネクタの探知装置が構成される（図６−Aを参照）。
【００１２】
このメモリカードコネクタの探知装置を運用する場合、特定のメモリカード８を選んで、コネクタの絶縁ベース１の前端(図６−Aの通り)に挿入して、メモリカード８の前端を端子セット４の各接続端子４１の前端を下へ押すことで、各接続端子４１を下がらせ、弾性力を応用して、接触端４２をメモリカード８の下の接点８１と緊密に接触させる。その中に、スロット５及び接続弾性プレート６を備える接続端子４１が押されて下がったが、その接続弾性プレート６構造の設計により、この状態でも水平を維持することができる(図６−Bの通り)。上述により、そのメモリカード８を継続的に挿入して定位された後、上述の探知端子７の前端を下へ押して、接触端子７１を接点８１と接触させる以外に、接触端子７１を上述の接続弾性プレート６に貼って導通させる(図６−Cの通り)ことで、探知を導通する状態が構成されるので、メモリカード８がデータのアクセスを行うことができる。
【００１３】
この実施例のメモリカードコネクタの探知装置は、特定の端子セット４での接続端子４１にスロット５及び接続弾性プレート６の構造を設けてあり、その上方に一つの探知端子７を設けることで構成されたので、それぞれの接続端子４１がメモリカード８にコンタクトされて下がった時、その接続弾性プレート６がまだ水平形状を維持できるため、探知端子７の接触端をそれと接触する場合、従来の緊密に接触できない欠点を改善でき、接触端子７１を接続弾性プレート６と継続、安定に導通状態を維持できる。特に、これにより、振動しやすい携帯できる電子製品に応用することが適合するのである。
【００１４】
ただ、特別に説明すべきものは、この考案は電気コネクタの探知装置に対する改良設計であるので、上記でその他の端子セット３、４のセット数、絶縁ベース１及びアッパーカバー２に対する詳しい構造の記載は、この考案の好ましい実施例の一つだけなので、それによる変化して実施する範囲を制限することができない。例えば、さらにたくさんの端子セットなどを設けることもできる。そのため、前述の探知装置を利用して、変更、交換などを行うものはすべてこの考案の技術の請求の範囲に含まれる。
【００１５】
この考案の主要な目的は、メモリカードコネクタの探知装置の設計を提供するものであるが、コネクタの中の探知端子を接続端子と合わせて応用することで、接続端子の特殊な構造の設計により、確実に安定な接触探知効果を達成できるので、メモリカードを使用する場合の安定性を得られるのである。
【００１６】
上述の目的による、この考案はメモリカードコネクタの中にある端子セットでの接続端子の上に探知端子を設けているが、その接続端子は端子自体にスロットが設けられ、そのスロットの中に別で接続弾性プレートを設けることで、その接続端子及び探知端子を同期にメモリカードに押されても接続弾性プレートが水平形状を維持しているので、探知端子を確実に緊密で、その接続弾性プレートと貼って導通することでメモリカードを使用する場合の安定性を得られるのである。
【図面の簡単な説明】
【００１７】
【図１】本考案の一実施例によるメモリカードコネクタの探知装置のメモリカードコネクタを示す分解斜視図である。
【図２】本考案の一実施例によるメモリカードコネクタの探知装置のメモリカードコネクタを示す外観斜視図である。
【図３】本考案の一実施例によるメモリカードコネクタの探知装置を示す外観斜視図である。
【図４】本考案の一実施例によるメモリカードコネクタの探知装置を示す上面図である。
【図５】本考案の一実施例によるメモリカードコネクタの探知装置を示す側面図である。
【図６−Ａ】本考案の一実施例によるメモリカードコネクタの探知装置を示す動作断面図である。
【図６−Ｂ】本考案の一実施例によるメモリカードコネクタの探知装置を示す動作断面図である。
【図６−Ｃ】本考案の一実施例によるメモリカードコネクタの探知装置を示す動作断面図である。
【図７】従来のメモリカードコネクタの探知装置の断面図である。
【符号の説明】
【００１８】
１  絶縁ベース、１１  ガイドアーム、１２  可動の仕切り板、１３  端子層、１４インサートスロット、１５  アースプレート、２  アッパーカバー、２１  側壁、２２  キャッチホール、３、４  端子セット  ３１、４１  接続端子、３２、４２  接触端、３３、４３  溶接端、５  スロット、６  接続弾性プレート、７  探知端子、７１  接触端子、７２  溶接端、８  メモリカード、８１  接点
【図１】
0003101218.tif 000003
【図２】
0003101218.tif 000004
【図３】
0003101218.tif 000005
【図４】
0003101218.tif 000006
【図５】
0003101218.tif 000007
【図６−Ａ】
0003101218.tif 000008
【図６−Ｂ】
0003101218.tif 000009
【図６−Ｃ】
0003101218.tif 000010
【図７】
0003101218.tif 000011